(57)【要約】【課題】動作条件を容易に設定し得るテレビを提供する。【解決手段】動作条件データＤｃを記憶する内部記憶部１６と、動作条件データＤｃに従って各構成要素の動作を制御する主制御部１８と、メモリカード４ａ、ハードディスクドライブ４ｂおよびＣＤ−Ｒ／ＲＷドライブ４ｃを接続可能なデータ入出力部１７とを備え、主制御部１８は、メモリカード４ａ、ハードディスクドライブ４ｂおよびＣＤ−Ｒ／ＲＷドライブ４ｃがデータ入出力部１７に接続されている状態において第１の操作がされたときに、内部記憶部１６に記憶されている動作条件データＤｃをメモリカード４ａ、ハードディスクドライブ４ｂおよびＣＤ−Ｒ／ＲＷドライブ４ｃに記憶させる。【選択図】図１
2006303557.tif 000002
【特許請求の範囲】
【請求項１】
動作条件を記憶する内部記憶部と、前記動作条件に従って各構成要素の動作を制御する制御部とを備えたテレビであって、
記憶可能な外部記憶部を接続可能な接続部を備え、
前記制御部は、前記外部記憶部が前記接続部に接続されている状態において第１の操作がされたときに、前記内部記憶部に記憶されている前記動作条件を前記外部記憶部に記憶させるテレビ。
【請求項２】
前記内部記憶部は、前記構成要素としての表示部および音声出力部の少なくとも一方についての前記動作条件を記憶する請求項１記載のテレビ。
【請求項３】
前記制御部は、前記内部記憶部に前記動作条件が複数記憶されているときに、その複数の動作条件の中から選択された動作条件を前記外部記憶部に記憶させる請求項１または２記載のテレビ。
【請求項４】
前記制御部は、前記動作条件に複数のパラメータが含まれているときに、その複数のパラメータの中から選択されたパラメータを読み出して前記動作条件として前記外部記憶部に記憶させる請求項１から３のいずれかに記載のテレビ。
【請求項５】
前記制御部は、前記外部記憶部が前記接続部に複数接続されているときに、その複数の外部記憶部の中から選択された外部記憶部に前記動作条件を記憶させる請求項１から４のいずれかに記載のテレビ。
【請求項６】
前記制御部は、前記外部記憶部が前記接続部に接続されている状態において第２の操作がされたときに、その外部記憶部から前記動作条件を読み出して前記内部記憶部に記憶させると共に当該動作条件に従って前記各構成要素の動作を制御する請求項１から５のいずれかに記載のテレビ。
【請求項７】
前記制御部は、前記接続部に接続されている前記外部記憶部に前記動作条件が複数記憶されているときに、その複数の動作条件の中から選択された動作条件を読み出す請求項６記載のテレビ。
【請求項８】
前記制御部は、前記接続部に接続されている前記外部記憶部に記憶されている前記動作条件に複数のパラメータが含まれているときに、その複数のパラメータの中から選択されたパラメータを読み出して前記動作条件として前記内部記憶部に記憶させると共に当該動作条件に従って前記各構成要素の動作を制御する請求項６または７記載のテレビ。
【請求項９】
前記制御部は、前記外部記憶部が前記接続部に複数接続されているときに、その複数の外部記憶部の中から選択された外部記憶部に記憶されている前記動作条件を読み出す請求項６から８のいずれかに記載のテレビ。
【発明の詳細な説明】
【技術分野】
【０００１】
本発明は、表示部および音声出力部の動作条件を記憶する内部記憶部を備えたテレビに関するものである。
【背景技術】
【０００２】
この種のテレビとして、特開平９−５５８９３号公報に開示された受像装置が知られている。この受像装置は、ＨＤＴＶやゲーム機などの複数の外部装置からそれぞれ入力した映像信号の信号特性に合わせて、各映像信号を画質調整するための調整データが記憶された不揮発性メモリを備えている。この場合、この受信装置では、マイクロコンピュータによって外部装置から入力した映像信号の種類が判別され、その種類に応じた調整データが不揮発性メモリから読み出される。また、読み出された調整データに基づく映像信号の画質調整が、映像処理回路によって行われる。
【特許文献１】特開平９−５５８９３号公報（第４頁、第１図）
【発明の開示】
【発明が解決しようとする課題】
【０００３】
ところが、上記の受像装置には、以下の問題点がある。すなわち、この受像装置では、画質調整を行うための調整データが装置内の不揮発性メモリにしか記憶されていない。このため、例えば、ユーザーが不揮発性メモリに記憶されている調整データを何らかの原因で消失させてしまったときには、調整データに含まれている各パラメータの値を１項目ずつ手動で設定し直すこととなり、パラメータの数が多ければ多いほど設定作業に多大な労力が必要となっている。また、調整データが不揮発性メモリにしか記憶されていないため、この受像装置の調整データを他の受像装置の画質調整のために用いるのも困難である。したがって、例えば、この受像装置の調整データに含まれるパラメータの値を好みに応じて変更（調整）したユーザーが、この受像装置と同じ内容で他の受像装置の画質を調整するときには、他の受像装置の調整データについても各パラメータの値を１項目ずつ手動で設定する必要があり、この設定作業が煩雑となっている。
【０００４】
本発明は、かかる問題点に鑑みてなされたものであり、動作条件を容易に設定し得るテレビを提供することを主目的とする。
【課題を解決するための手段】
【０００５】
上記目的を達成すべく本発明に係るテレビは、動作条件を記憶する内部記憶部と、前記動作条件に従って各構成要素の動作を制御する制御部とを備えたテレビであって、記憶可能な外部記憶部を接続可能な接続部を備え、前記制御部は、前記外部記憶部が前記接続部に接続されている状態において第１の操作がされたときに、前記内部記憶部に記憶されている前記動作条件を前記外部記憶部に記憶させる。
【０００６】
このテレビでは、記憶可能な外部記憶部が接続部に接続されている状態において第１の操作がされたときに、制御部が、内部記憶部に記憶されている動作条件を外部記憶部に記憶させる。このため、例えば、内部記憶部に記憶されていた動作条件データが消失したとしても、外部記憶部に記憶されている動作条件を内部記憶部に書き込むことで、動作条件の全てのパラメータを設定し直すような煩雑な作業を行うことなく、各構成要素の動作条件を元の動作条件に確実かつ容易に設定することができる。また、外部記憶部に記憶されているこのテレビの動作条件を他のテレビの内部記憶部に書き込むことで、手動による動作条件の設定作業を行うことなく、他のテレビにおける各構成要素の動作条件をこのテレビと同じ動作条件に確実かつ容易に設定することができる。したがって、例えば、複数のテレビにおける数多くのパラメータをこのテレビと同じ値に設定するようなときにおいても、極めて効率的に設定作業を行うことができる。
【０００７】
また、本発明に係るテレビは、上記のテレビにおいて、前記内部記憶部は、前記構成要素としての表示部および音声出力部の少なくとも一方についての前記動作条件を記憶する。
【０００８】
このテレビでは、内部記憶部が、表示部および音声出力部の少なくとも一方についての動作条件を記憶する。この場合、表示部や音声出力部に関する動作条件は、一般的に数多くのパラメータで構成されている。したがって、このテレビによれば、手動では多くの時間を必要とする表示部や音声出力部に関する動作条件の設定を短時間でしかも容易に行うことができる
【０００９】
また、本発明に係るテレビは、上記のテレビにおいて、前記制御部は、前記内部記憶部に前記動作条件が複数記憶されているときに、その複数の動作条件の中から選択された動作条件を前記外部記憶部に記憶させる。
【００１０】
このテレビでは、内部記憶部に動作条件が複数記憶されているときに、制御部が、その複数の動作条件の中から選択された動作条件を外部記憶部に記憶させる。このため、複数の動作条件の中から必要とされる動作条件だけを任意に選択して外部記憶部に記憶させることができる。
【００１１】
また、本発明に係るテレビは、上記のテレビにおいて、前記制御部は、前記動作条件に複数のパラメータが含まれているときに、その複数のパラメータの中から選択されたパラメータを読み出して前記動作条件として前記外部記憶部に記憶させる。
【００１２】
このテレビでは、動作条件に複数のパラメータが含まれているときに、制御部が、その複数のパラメータの中から選択されたパラメータを読み出してそのパラメータを含む動作条件を外部記憶部に記憶させる。このため、例えば、その値を固定化したいパラメータだけを外部記憶部に記憶させるパラメータとして選択し、その他のパラメータについてはテレビの使用環境に応じて随時変更するような利用形態であっても、確実かつ容易に動作条件を設定することができる。
【００１３】
また、本発明に係るテレビは、上記のテレビにおいて、前記制御部は、前記外部記憶部が前記接続部に複数接続されているときに、その複数の外部記憶部の中から選択された外部記憶部に前記動作条件を記憶させる。
【００１４】
このテレビでは、外部記憶部が接続部に複数接続されているときに、制御部が、その複数の外部記憶部の中から選択された外部記憶部に動作条件を記憶させる。このため、接続部に接続されている複数の外部記憶部の中から、動作条件を記憶させる外部記憶部を用途に応じて任意に選択することができる。
【００１５】
また、本発明に係るテレビは、上記のテレビにおいて、前記制御部は、前記外部記憶部が前記接続部に接続されている状態において第２の操作がされたときに、その外部記憶部から前記動作条件を読み出して前記内部記憶部に記憶させると共に当該動作条件に従って前記各構成要素の動作を制御する。
【００１６】
このテレビでは、外部記憶部が接続部に接続されている状態において第２の操作がされたときに、制御部が、外部記憶部から動作条件を読み出して内部記憶部に記憶させると共に、その動作条件に従ってテレビの各構成要素の動作を制御する。このため、外部記憶部を接続部に接続して第２の操作をするだけで、外部記憶部に記憶されている動作条件を自動的に内部記憶部に記憶させてその動作条件に従って各構成要素の動作を制御させることができる。したがって、外部記憶部に記憶されている動作条件に従った各構成要素の動作の制御を極めて容易に行うことができる。
【００１７】
また、本発明に係るテレビは、上記のテレビにおいて、前記制御部は、前記接続部に接続されている前記外部記憶部に前記動作条件が複数記憶されているときに、その複数の動作条件の中から選択された動作条件を読み出す。
【００１８】
このテレビでは、接続部に接続されている外部記憶部に動作条件が複数記憶されているときに、制御部が、その複数の動作条件の中から選択された動作条件を読み出す。このため、例えば、外部記憶部に複数の動作条件を記憶させておき、それらの複数の動作条件の中からテレビの使用環境用途に応じて任意に選択した動作条件を用いるような利用形態であっても、確実かつ容易に動作条件を設定することができる。
【００１９】
また、本発明に係るテレビは、上記のテレビにおいて、前記制御部は、前記接続部に接続されている前記外部記憶部に記憶されている前記動作条件に複数のパラメータが含まれているときに、その複数のパラメータの中から選択されたパラメータを読み出して前記動作条件として前記内部記憶部に記憶させると共に当該動作条件に従って前記各構成要素の動作を制御する。
【００２０】
このテレビでは、接続部に接続されている外部記憶部に記憶されている動作条件にパラメータが複数含まれているときに、制御部が、その複数のパラメータの中から選択されたパラメータを読み出してそのパラメータを含む動作条件を内部記憶部に記憶させる。このため、例えば、所定のパラメータについてだけ外部記憶部に記憶されている値を用い、その他のパラメータについてはテレビの使用環境に応じて随時変更するような利用形態であっても、確実かつ容易に動作条件を設定することができる。
【００２１】
また、本発明に係るテレビは、上記のテレビにおいて、前記制御部は、前記外部記憶部が前記接続部に複数接続されているときに、その複数の外部記憶部の中から選択された外部記憶部に記憶されている前記動作条件を読み出す。
【００２２】
このテレビでは、外部記憶部が接続部に複数接続されているときに、制御部が、その複数の外部記憶部の中から選択された外部記憶部に記憶されている動作条件を読み出す。このため、例えば、複数の外部記憶部に互いに異なる動作条件を記憶させておき、テレビの使用環境に応じて動作条件を任意に選択して利用するような利用形態であっても、確実かつ容易に動作条件を設定することができる。
【発明を実施するための最良の形態】
【００２３】
以下、本発明に係るテレビの最良の形態について、添付図面を参照して説明する。図１に示すテレビ１は、リアプロジェクションテレビであって、本体部２およびリモコン３を備えている。本体部２は、チューナ１１、放送信号処理部１２、表示部１３、音声出力部１４、受光部１５、内部記憶部１６、データ入出力部１７および主制御部１８を備えている。
【００２４】
チューナ１１は、主制御部１８の制御に従い、指定されたチャンネルの放送信号Ｓｂを図外のアンテナで受信した放送波から抽出して主制御部１８に出力する。放送信号処理部１２は、例えば、ＩＦ回路、音声検波回路、映像検波回路およびＡ／Ｄ変換部（いずれも図示せず）などを備えている。この場合、放送信号処理部１２は、主制御部１８を介して入力した放送信号Ｓｂに基づく映像データＤｐおよび音声データＤｓを主制御部１８に出力する。
【００２５】
表示部１３は、図１に示すように、表示制御部３１、光学エンジン３２およびスクリーンパネル３３を備えている。表示制御部３１は、主制御部１８の制御に従い、主制御部１８を介して入力した映像データＤｐに基づき、例えば、図２に示すテレビ映像Ｐｔを表示させる表示用信号Ｓｅを生成して光学エンジン３２に出力する。光学エンジン３２は、本体部２の内部に配設されて、表示制御部３１から出力された表示用信号Ｓｅに基づいて変調した投射光Ｌをスクリーンパネル３３の背面側から投射する。具体的には、光学エンジン３２は、例えば、光源と、光変調素子（一例として、デジタルマイクロミラーデバイスや液晶ライトバルブ）と、投射レンズ（いずれも図示せず）とを備えている。スクリーンパネル３３は、光学エンジン３２から投射された投射光Ｌを受光して映像を表示する。
【００２６】
音声出力部１４は、音声制御部４１およびスピーカ４２を備えている。音声制御部４１は、主制御部１８を介して入力した音声データＤｓに基づく音声信号Ｓｓをスピーカ４２に出力する。スピーカ４２は、音声制御部４１から出力された音声信号Ｓｓに基づく音声を出力する。受光部１５は、リモコン３から出力された赤外線信号Ｓｉを受光して光電変換することにより、リモコン３による操作内容を示す操作信号Ｓｏを主制御部１８に出力する。内部記憶部１６は、例えば、表示部１３用の動作条件、および音声出力部１４用の動作条件が記述された動作条件データＤｃを記憶する。この場合、動作条件データＤｃに記述されている表示部１３用の動作条件は、例えば、コントラスト、色合い、色の濃さ、明るさ、シャープネスおよびノイズリダクションなどの画質に関するパラメータ（以下、「画質パラメータ」ともいう）についての設定値Ｖｐを含んで構成されている。また、動作条件データＤｃに記述されている音声出力部１４用の動作条件は、例えば、高音、低音、サラウンドおよび出力バランスなどの音質に関するパラメータ（以下、「音質パラメータ」ともいう）についての設定値Ｖｓを含んで構成されている。この場合、初期状態において、標準的な値に設定された設定値Ｖｐ，Ｖｓを含んだ動作条件データＤｃ（以下、この動作条件データＤｃを「動作条件データＤｃ１」ともいう）が内部記憶部１６に記憶されているものとする。なお、以下の説明において、設定値Ｖｐ，Ｖｓを区別しないときには「設定値Ｖ」ともいう。
【００２７】
データ入出力部１７は、本発明における接続部に相当し、メモリカードスロット５１、ＵＳＢ（Universal Serial Bus）ポート５２，５３およびデータコントローラ５４を備えている。メモリカードスロット５１は、図２に示すように本体部２の前面パネルに形成されている挿入口２ａから挿入されたメモリカード４ａを接続可能に構成されている。ＵＳＢポート５２，５３は、同図に示すように、本体部２の前面パネルに配設されている。また、ＵＳＢポート５２，５３は、ＵＳＢコネクタを差し込み可能に構成されて、ハードディスクドライブ４ｂやＣＤ−Ｒ／ＲＷドライブ４ｃとデータコントローラ５４とをＵＳＢコネクタを介して接続する。この場合、メモリカード４ａ、ハードディスクドライブ４ｂおよびＣＤ−Ｒ／ＲＷドライブ４ｃは、本発明における外部記憶部の一例であって、各種のデータを記憶（書き込み）可能に構成されると共に、記憶しているデータを読み出し可能に構成されている。なお、以下の説明において、メモリカード４ａ、ハードディスクドライブ４ｂおよびＣＤ−Ｒ／ＲＷドライブ４ｃを区別しないときには「外部記憶メディア４」ともいう。
【００２８】
データコントローラ５４は、主制御部１８の制御に従い、メモリカードスロット５１やＵＳＢポート５２，５３を介して接続されている外部記憶メディア４に主制御部１８から出力された動作条件データＤｃを記憶させる。また、データコントローラ５４は、主制御部１８の制御に従い、外部記憶メディア４に記憶されている動作条件データＤｃを読み出して主制御部１８に出力する。
【００２９】
主制御部１８は、受光部１５から出力された操作信号Ｓｏに従って制御信号Ｓｃを出力することにより、チューナ１１、放送信号処理部１２、表示部１３、音声出力部１４およびデータ入出力部１７を制御する。この場合、主制御部１８は、内部記憶部１６に記憶されている動作条件データＤｃに記述されている表示部１３用の動作条件に従って表示部１３を制御する。また、主制御部１８は、動作条件データＤｃに記述されている音声出力部１４用の動作条件に従って音声出力部１４を制御する。さらに、主制御部１８は、操作信号Ｓｏに従って図４に示す保存処理６０を実行することにより、データ入出力部１７のデータコントローラ５４を制御して、内部記憶部１６に記憶されている動作条件データＤｃを外部記憶メディア４に記憶させる（保存する）。また、主制御部１８は、操作信号Ｓｏに従って図８に示す読出処理７０を実行することにより、データコントローラ５４を制御して、外部記憶メディア４に記憶されている動作条件データＤｃを読み出させると共に、その動作条件データＤｃを内部記憶部１６に記憶させる。
【００３０】
リモコン３は、図２に示すように、本体部２とは別体に構成されている。また、リモコン３は、電源スイッチ８１ａ、設定スイッチ８１ｂ、選局スイッチ８１ｃ，８１ｃ・・、カーソルキー８１ｄ，８１ｄ・・、決定スイッチ８１ｅ、保存スイッチ８１ｆおよび読出スイッチ８１ｇなどの各種のスイッチやキーが配列されて構成され、これらのスイッチやキーが操作されたときに、これらに対応する赤外線信号Ｓｉを出力する。
【００３１】
次に、テレビ１の全体的な動作について、図面を参照して説明する。このテレビ１では、リモコン３の電源スイッチ８１ａが操作された際に、表示部１３の光学エンジン３２に電源が供給されて、光源が発光する。また、主制御部１８が、直前の電源切断時に選択されていたチャンネル（例えばチャンネルＣＨ３）の選局を指示する制御信号Ｓｃをチューナ１１に出力すると共に、映像データＤｐおよび音声データＤｓの出力を指示する制御信号Ｓｃを放送信号処理部１２に出力する。次いで、チューナ１１が、制御信号Ｓｃに従ってチャンネルＣＨ３の放送信号Ｓｂを抽出し、放送信号処理部１２が、制御信号Ｓｃに従って放送信号Ｓｂに基づく映像データＤｐおよび音声データＤｓを主制御部１８を介して表示制御部３１および音声制御部４１にそれぞれ出力する。続いて、主制御部１８は、内部記憶部１６に記憶されている動作条件データＤｃ１を読み出して、その動作条件データＤｃ１に記述されている表示部１３用の動作条件に従ってテレビ映像Ｐｔを表示させる制御信号Ｓｃを表示部１３の表示制御部３１に出力する。また、主制御部１８は、動作条件データＤｃ１に記述されている音声出力部１４用の動作条件に従って音声を出力させる制御信号Ｓｃを音声出力部１４の音声制御部４１に出力する。
【００３２】
次いで、表示制御部３１が、制御信号Ｓｃに従い、映像データＤｐに基づく表示用信号Ｓｅを光学エンジン３２に出力する。これに応じて、光学エンジン３２が光源からの光を表示用信号Ｓｅに基づいて投射光Ｌに変調して、スクリーンパネル３３に投射する。これにより、図２に示すように、チャンネルＣＨ３のテレビ映像Ｐｔがスクリーンパネル３３に表示される。また、音声制御部４１が、制御信号Ｓｃに従い、音声データＤｓに基づく音声信号Ｓｓをスピーカ４２に出力する。これに応じて、スピーカ４２が音声信号Ｓｓに基づく音声を出力する。この場合、テレビ映像Ｐｔにおけるコントラスト、色合い、色の濃さ、明るさ、シャープネスおよびノイズリダクションなどの画質パラメータは、動作条件データＤｃ１に含まれている設定値Ｖｐに調整されている。また、スピーカ４２から出力される音声における高音、低音、サラウンドおよび出力バランスなどの音質パラメータは、動作条件データＤｃ１に含まれている設定値Ｖｓに調整されている。
【００３３】
次に、上記した画質パラメータや音質パラメータについての設定値Ｖを変更（再設定）する方法、およびこの際のテレビ１の動作について、図面を参照して説明する。この場合、まず、リモコン３の設定スイッチ８１ｂを操作する。この際に、リモコン３が設定スイッチ８１ｂに対応する赤外線信号Ｓｉを出力し、受光部１５が赤外線信号Ｓｉを受光して操作信号Ｓｏを出力する。続いて、主制御部１８が、操作信号Ｓｏに従い、内部記憶部１６から動作条件データＤｃ１を読み出して表示部１３の表示制御部３１に出力すると共に、図３に示す設定画面Ｐ１の表示を指示する制御信号Ｓｃを表示制御部３１に出力する。次いで、表示制御部３１が、設定画面Ｐ１を表示させる表示用信号Ｓｅを生成して光学エンジン３２に出力する。この場合、表示制御部３１は、動作条件データＤｃ１に基づき、動作条件データＤｃ１に含まれている設定値Ｖを表示可能に表示用信号Ｓｅを生成する。これにより、図３に示すように、テレビ映像Ｐｔに代えて、初期状態の設定値Ｖが記載された設定画面Ｐ１がスクリーンパネル３３に表示される。
【００３４】
次に、例えば、画質パラメータについての設定値Ｖｐの変更（画質調整）を行うときには、カーソルキー８１ｄおよび決定スイッチ８１ｅを用いて設定操作を行う。具体的には、図３に示すように、設定画面Ｐ１内に表示された「画質」の文字が付されたタブをカーソルキー８１ｄを用いて選択する。続いて、コントラスト、色合い、色の濃さ、明るさ、シャープネスおよびノイズリダクションの各パラメータの中から変更を希望するパラメータをカーソルキー８１ｄを操作して選択する。次いで、カーソルキー８１ｄを操作して選択したパラメータの設定値Ｖｐを増減することにより、設定値Ｖｐを希望の値に設定する。続いて、上記の設定操作を繰り返すことにより、変更を希望するすべての画質パラメータについての設定値Ｖｐを希望の値に設定する。次いで、カーソルキー８１ｄを操作して設定画面Ｐ１内の「適用」のボタンを選択した後に、決定スイッチ８１ｅを操作することにより、画質パラメータについての設定値Ｖｐの変更を終了する。
【００３５】
次に、音質パラメータについての設定値Ｖｓの変更（音質調整）を行うときには、カーソルキー８１ｄを操作して設定画面Ｐ１内に表示された「音質」の文字が付されたタブを選択した後に、上記と同様の設定操作を行う。続いて、画質パラメータおよび音質パラメータについての設定値Ｖの変更が終了したときには、カーソルキー８１ｄを操作して設定画面Ｐ１内の「終了」のボタンを選択し、決定スイッチ８１ｅを操作する。これに応じて、主制御部１８は、変更後の設定値Ｖを含む新たな動作条件データＤｃ２を生成して内部記憶部１６に記憶させる。また、主制御部１８は、新たな動作条件データＤｃ２に記述されている表示部１３用の動作条件に従ってテレビ映像Ｐｔを表示させる制御信号Ｓｃを表示部１３の表示制御部３１に出力すると共に、新たな動作条件データＤｃ２に記述されている音声出力部１４用の動作条件に従って音声を出力させる制御信号Ｓｃを音声出力部１４の音声制御部４１に出力する。これにより、設定画面Ｐ１に代えて、テレビ映像Ｐｔがスクリーンパネル３３に表示されると共に、そのテレビ映像Ｐｔのチャンネルの音声がスピーカ４２から出力される。この場合、テレビ映像Ｐｔの画質パラメータは、新たな動作条件データＤｃ２に含まれている設定値Ｖｐに調整されている。また、スピーカ４２から出力される音声の音質パラメータは、新たな動作条件データＤｃ２に含まれている設定値Ｖｓに調整されている。
【００３６】
次に、内部記憶部１６に記憶されている動作条件データＤｃを外部記憶メディア４に記憶させる方法、およびこの際のテレビ１の動作について、図面を参照して説明する。例えば、動作条件データＤｃをメモリカード４ａに記憶させるときには、図２に示すように、本体部２における正面パネルの挿入口２ａからデータ入出力部１７のメモリカードスロット５１にメモリカード４ａを挿入した後に、リモコン３の保存スイッチ８１ｆを操作する（本発明における第１の操作）。続いて、主制御部１８は、操作信号Ｓｏに従い、図４に示す保存処理６０を実行する。この保存処理６０では、主制御部１８は、まず、保存すべき動作条件データＤｃをユーザーに選択させるための動作条件データ選択画面Ｐ２（図５参照）を表示させる（ステップ６１）。具体的には、主制御部１８は、内部記憶部１６に記憶されている動作条件データＤｃ１，Ｄｃ２のデータ名（例えば、「動作条件１」および「動作条件２」）を特定すると共に、そのデータ名を含んだ動作条件データ選択画面Ｐ２の表示を指示する制御信号Ｓｃを表示制御部３１に出力する。
【００３７】
次いで、表示制御部３１が、制御信号Ｓｃに従い、動作条件データ選択画面Ｐ２を表示させる表示用信号Ｓｅを生成して光学エンジン３２に出力する。この場合、表示制御部３１は、動作条件データＤｃ１，Ｄｃ２のデータ名を表示可能に表示用信号Ｓｅを生成する。これにより、図５に示すように、動作条件データ選択画面Ｐ２がスクリーンパネル３３に表示される。続いて、リモコン３のカーソルキー８１ｄを操作して、同図に示すように、動作条件データ選択画面Ｐ２内に表示されている動作条件データＤｃの各データ名の中から、保存を希望するデータ名（例えば、動作条件データＤｃ２に対応する「動作条件２」）を選択し、決定スイッチ８１ｅを操作する。次いで、カーソルキー８１ｄを操作して、動作条件データ選択画面Ｐ２内の「決定」のボタンを選択した後に、決定スイッチ８１ｅを操作する。
【００３８】
次いで、主制御部１８は、保存すべき動作条件データＤｃ２に含まれている各パラメータの中から保存を希望するパラメータをユーザーに選択させるためのパラメータ選択画面Ｐ３（図６参照）を表示させる処理を実行する（ステップ６２）。この処理では、まず、主制御部１８が、パラメータ選択画面Ｐ３を表示させる制御信号Ｓｃを表示制御部３１に出力する。続いて、表示制御部３１は、制御信号Ｓｃに従い、パラメータ選択画面Ｐ３を表示させる表示用信号Ｓｅを生成して光学エンジン３２に出力する。この場合、表示制御部３１は、動作条件データＤｃ２に基づき、動作条件データＤｃ２に含まれている各設定値Ｖに対応するパラメータ名を表示可能に表示用信号Ｓｅを生成する。これにより、同図に示すように、パラメータ選択画面Ｐ３がスクリーンパネル３３に表示される。次いで、リモコン３のカーソルキー８１ｄを操作してパラメータ選択画面Ｐ３内に表示されている各パラメータ名の中から保存を希望するパラメータ名を選択し、決定スイッチ８１ｅを操作する。この場合、保存を希望するパラメータが複数存在するときには、この操作を繰り返して行う。また、例えば、全てのパラメータを選択するときには、カーソルキー８１ｄを操作してパラメータ選択画面Ｐ３内の「全て選択」のボタンを選択した後に、決定スイッチ８１ｅを操作する。続いて、パラメータの選択が終了したときには、カーソルキー８１ｄを操作してパラメータ選択画面Ｐ３内の「決定」のボタンを選択した後に、決定スイッチ８１ｅを操作する。
【００３９】
次いで、主制御部１８は、データ入出力部１７に接続されている各外部記憶メディア４の中から動作条件データＤｃを保存（記憶）させる外部記憶メディア４をユーザーに選択させるためのメディア選択画面Ｐ４（図７参照）を表示させる処理を実行する（ステップ６３）。この処理では、まず、主制御部１８は、メディア選択画面Ｐ４を表示させる制御信号Ｓｃを表示制御部３１に出力する。続いて、表示制御部３１が、メディア選択画面Ｐ４を表示させる表示用信号Ｓｅを生成して光学エンジン３２に出力する。この場合、表示制御部３１は、データ入出力部１７に接続されている各外部記憶メディア４の名称（以下、「メディア名」ともいう）を表示可能に表示用信号Ｓｅを生成する。これにより、同図に示すように、メディア選択画面Ｐ４がスクリーンパネル３３に表示される。次いで、リモコン３のカーソルキー８１ｄおよび決定スイッチ８１ｅを操作して、同図に示すように、メディア選択画面Ｐ４内に表示されている各パラメータ名の中から保存を希望するメディア名（この場合「メモリカード」）を選択した後に、メディア選択画面Ｐ４内の「決定」のボタンを選択する。
【００４０】
これに応じて、主制御部１８は、上記の操作によって選択された動作条件データＤｃをデータ入出力部１７のデータコントローラ５４に出力すると共に、その動作条件データＤｃを上記の操作によって選択された外部記憶メディア４（この場合、メモリカード４ａ）に記憶（保存）させる制御信号Ｓｃをデータ入出力部１７のデータコントローラ５４に出力する。この場合、動作条件データＤｃに含まれている各パラメータの中の一部のパラメータだけが上記の操作によって選択されたときには、主制御部１８はそのパラメータについての設定値Ｖを読み出してその設定値Ｖを含む動作条件データＤｃを生成してデータコントローラ５４に出力する。続いて、データコントローラ５４が、制御信号Ｓｃに従い、主制御部１８から出力された動作条件データＤｃをメモリカード４ａに保存（記憶）させる（ステップ６４）。これにより、内部記憶部１６に記憶されていた動作条件データＤｃに含まれている各設定値Ｖの中からユーザーによって選択された設定値Ｖを含む動作条件データＤｃが、メモリカード４ａに保存される。
【００４１】
次に、動作条件データＤｃが記憶（保存）されている外部記憶メディア４の利用方法、およびこの際のテレビ１の動作について、図面を参照して説明する。このテレビ１では、例えば、内部記憶部１６に記憶されていた動作条件データＤｃが何らかの原因で消失したときに、外部記憶メディア４に記憶されている動作条件データＤｃを読み出して利用することが可能となっている。この場合、動作条件データＤｃが記憶されている上記のメモリカード４ａを用いるときには、メモリカード４ａがメモリカードスロット５１に挿入されている状態において、リモコン３の読出スイッチ８１ｇを操作する（本発明における第２の操作）。この際に、主制御部１８は、操作信号Ｓｏに従い、図８に示す読出処理７０を実行する。
【００４２】
この読出処理７０では、主制御部１８は、データ入出力部１７に接続されている各外部記憶メディア４の中から、読み出すべき動作条件データＤｃが記憶されている外部記憶メディア４をユーザーに選択させるためのメディア選択画面Ｐ４（図７参照）を表示させる処理を実行する（ステップ７１）。この処理では、主制御部１８は、メディア選択画面Ｐ４を表示させる制御信号Ｓｃを表示制御部３１に出力する。続いて、表示制御部３１が、制御信号Ｓｃに従って表示用信号Ｓｅを出力することにより、同図に示すように、データ入出力部１７に接続されている各外部記憶メディア４のメディア名を含んだメディア選択画面Ｐ４がスクリーンパネル３３に表示される。続いて、リモコン３のカーソルキー８１ｄおよび決定スイッチ８１ｅを操作して、同図に示すように、メディア選択画面Ｐ４内の各メディア名の中から動作条件データＤｃの読み出しを希望するメディア名（この場合、「メモリカード」）を選択した後に、「決定」のボタンを選択する。
【００４３】
次いで、主制御部１８は、読み出すべき動作条件データＤｃをユーザーに選択させるための動作条件データ選択画面Ｐ２（図５参照）を表示させる処理を実行する（ステップ７２）。この処理では、まず、主制御部１８は、メディア選択画面Ｐ４を表示させる制御信号Ｓｃを表示制御部３１に出力する。続いて、表示制御部３１が制御信号Ｓｃに従って表示用信号Ｓｅを出力することにより、同図に示すように、メモリカード４ａに記憶されている動作条件データＤｃのデータ名（例えば、「動作条件１」および「動作条件２」）を含んだ動作条件データ選択画面Ｐ２がスクリーンパネル３３に表示される。次いで、リモコン３のカーソルキー８１ｄおよび決定スイッチ８１ｅを操作して、同図に示すように、動作条件データ選択画面Ｐ２内の各データ名の中から読み出しを希望するデータ名（例えば、動作条件データＤｃ２に対応する「動作条件２」）を選択した後に、「決定」のボタンを選択する。
【００４４】
続いて、主制御部１８は、動作条件データＤｃ２に含まれている各パラメータの中から読み出しを希望するパラメータをユーザーに選択させるためのパラメータ選択画面Ｐ３（図６参照）を表示させる処理を実行する（ステップ７３）。この処理では、主制御部１８は、パラメータ選択画面Ｐ３を表示させる制御信号Ｓｃを表示制御部３１に出力する。続いて、表示制御部３１が、制御信号Ｓｃに従って表示用信号Ｓｅを出力することにより、同図に示すように、動作条件データＤｃ２に含まれている各パラメータのパラメータ名および設定値Ｖを含むパラメータ選択画面Ｐ３がスクリーンパネル３３に表示される。続いて、リモコン３のカーソルキー８１ｄおよび決定スイッチ８１ｅを操作して、パラメータ選択画面Ｐ３内に表示されている各パラメータ名の中から読み出しを希望するパラメータ名を選択する。この場合、全てのパラメータ名を選択するときには、パラメータ選択画面Ｐ３内の「全て選択」のボタンを選択する。続いて、パラメータの選択が終了したときには、パラメータ選択画面Ｐ３内の「決定」のボタンを選択する。
【００４５】
これに応じて、主制御部１８は、データ入出力部１７のデータコントローラ５４を制御して、上記の操作によって選択された動作条件データＤｃ（この場合、上記した動作条件データＤｃ２）をメモリカード４ａから読み出させると共に、その動作条件データＤｃを内部記憶部１６に記憶させる（ステップ７４）。この場合、動作条件データＤｃに含まれている各パラメータの中の一部のパラメータだけが上記の操作によって選択されたときには、主制御部１８はそのパラメータについての設定値Ｖをデータコントローラ５４に読み出させて、その設定値Ｖを含む動作条件データＤｃを生成して内部記憶部１６に記憶させる。これにより、メモリカード４ａに記憶されていた設定値Ｖの中からユーザーによって選択された設定値Ｖを含む動作条件データＤｃが、内部記憶部１６に記憶される。
【００４６】
次いで、主制御部１８は、内部記憶部１６に新たに記憶された動作条件データＤｃを読み出して、その動作条件データＤｃに記述されている表示部１３用の動作条件に従ってテレビ映像Ｐｔを表示させる制御信号Ｓｃを表示部１３の表示制御部３１に出力する。また、主制御部１８は、その動作条件データＤｃに記述されている音声出力部１４用の動作条件に従って音声を出力させる制御信号Ｓｃを音声出力部１４の音声制御部４１に出力する。この場合、上記の設定操作によって各パラメータの設定値Ｖを変更した動作条件データＤｃ２と同じ動作条件に従って表示制御部３１および音声制御部４１が動作するため、上記と同じ画質でテレビ映像Ｐｔが表示され、上記と同じ音質で音声が出力される。
【００４７】
このように、このテレビ１によれば、外部記憶メディア４がデータ入出力部１７に接続されている状態において保存スイッチ８１ｆが操作されたときに、主制御部１８が、内部記憶部１６に記憶されている動作条件データＤｃを外部記憶メディア４に記憶させることにより、例えば、内部記憶部１６に記憶されていた動作条件データＤｃが消失したとしても、外部記憶メディア４に記憶されている動作条件データＤｃを内部記憶部１６に書き込むことで、動作条件の全てのパラメータの設定値Ｖを設定し直すような煩雑な作業を行うことなく、表示部１３や音声出力部１４の動作条件を元の動作条件に確実かつ容易に設定することができる。また、外部記憶メディア４に記憶されているテレビ１の動作条件データＤｃを他のテレビの内部記憶部に書き込むことで、手動による動作条件の設定作業を行うことなく、他のテレビにおける各構成要素の動作条件をテレビ１と同じ動作条件に確実かつ容易に設定することができる。したがって、例えば、複数のテレビにおける数多くのパラメータの設定値Ｖをテレビ１と同じ設定値Ｖに設定するようなときにおいても、極めて効率的に設定作業を行うことができる。
【００４８】
また、このテレビ１では、内部記憶部１６が、表示部１３および音声出力部１４の少なくとも一方についての動作条件が記述された動作条件データＤｃを記憶する。この場合、表示部１３や音声出力部１４に関する動作条件は、一般的に数多くのパラメータで構成されている。したがって、このテレビ１によれば、手動では多くの時間を必要とする表示部１３や音声出力部１４に関する動作条件の設定を短時間でしかも容易に行うことができる。
【００４９】
また、内部記憶部１６に動作条件データＤｃが複数記憶されているときに、主制御部１８が、その複数の動作条件データＤｃの中から選択された動作条件データＤｃを外部記憶メディア４に記憶させることにより、複数の動作条件データＤｃの中から必要とされる動作条件データＤｃだけを任意に選択して外部記憶メディア４に記憶させることができる。
【００５０】
また、動作条件データＤｃに複数のパラメータについての設定値Ｖが含まれているときに、主制御部１８が、その複数のパラメータの中から選択されたパラメータについての設定値Ｖを読み出してその設定値Ｖを含む動作条件データＤｃを外部記憶メディア４に記憶させることにより、例えば、設定値Ｖを固定化したいパラメータだけを外部記憶メディア４に記憶させるパラメータとして選択し、その他のパラメータの設定値Ｖについてはテレビ１の使用環境に応じて随時変更するような利用形態であっても、確実かつ容易に動作条件を設定することができる。
【００５１】
また、外部記憶メディア４がデータ入出力部１７に複数接続されているときに、主制御部１８が、その複数の外部記憶メディア４の中から選択された外部記憶メディア４に動作条件データＤｃを記憶させることにより、データ入出力部１７に接続されている複数の外部記憶メディア４の中から、動作条件データＤｃを記憶させる外部記憶メディア４を用途に応じて任意に選択することができる。
【００５２】
また、外部記憶メディア４がデータ入出力部１７に接続されている状態において読出スイッチ８１ｇがされたときに、主制御部１８が、外部記憶メディア４から動作条件データＤｃを読み出して内部記憶部１６に記憶させると共に、その動作条件データＤｃに従ってテレビ１の各構成要素の動作を制御することにより、外部記憶メディア４をデータ入出力部１７に接続して読出スイッチ８１ｇを操作するだけで、外部記憶メディア４に記憶されている動作条件データＤｃを自動的に内部記憶部１６に記憶させてその動作条件データＤｃに従って表示部１３や音声出力部１４の動作を制御させることができる。したがって、外部記憶メディア４に記憶されている動作条件データＤｃに従った表示部１３や音声出力部１４の制御を極めて容易に行うことができる。
【００５３】
また、データ入出力部１７に接続されている外部記憶メディア４に動作条件データＤｃが複数記憶されているときに、主制御部１８が、その複数の動作条件データＤｃの中から選択された動作条件データＤｃを読み出すことにより、例えば、外部記憶メディア４に複数の動作条件データＤｃを記憶させておき、それらの複数の動作条件データＤｃの中からテレビ１の使用環境用途に応じて任意に選択した動作条件データＤｃを用いるような利用形態であっても、確実かつ容易に動作条件を設定することができる。
【００５４】
また、データ入出力部１７に接続されている外部記憶メディア４に記憶されている動作条件データＤｃに複数のパラメータについての設定値Ｖが含まれているときに、主制御部１８が、その複数のパラメータの中から選択されたパラメータについての設定値Ｖを読み出してその設定値Ｖを含む動作条件データＤｃを内部記憶部１６に記憶させることにより、例えば、所定のパラメータについてだけ外部記憶メディア４に記憶されている設定値Ｖを用い、その他のパラメータについてはテレビ１の使用環境に応じて随時変更するような利用形態であっても、確実かつ容易に動作条件を設定することができる。
【００５５】
また、外部記憶メディア４がデータ入出力部１７に複数接続されているときに、主制御部１８が、その複数の外部記憶メディア４の中から選択された外部記憶メディア４に記憶されている動作条件データＤｃを読み出すことにより、例えば、複数の外部記憶メディア４に互いに異なる動作条件データＤｃを記憶させておき、テレビ１の使用環境に応じて動作条件データＤｃを任意に選択して利用するような利用形態であっても、確実かつ容易に動作条件を設定することができる。
【００５６】
なお、本発明は、上記の構成に限定されない。例えば、表示部１３および音声出力部１４の動作を動作条件データＤｃに従って制御する例について上記したが、例えば、各選局スイッチ８１ｃ，８１ｃ・・とチャンネル番号（放送波の周波数）とを対応付けるチャンネルプリセット情報や、上記した各選択画面Ｐ２，Ｐ３，Ｐ４の画面デザインに関する情報などを動作条件データＤｃに記述することにより、表示部１３および音声出力部１４の動作に加えて、チューナ１１や放送信号処理部１２を動作条件データＤｃに従って制御することもできる。また、表示部１３用の動作条件、および音声出力部１４用の動作条件のいずれか一方のみを動作条件データＤｃに含めることにより、表示部１３および音声出力部１４のいずれか一方のみを動作条件データＤｃに従って制御することもできる。
【００５７】
また、光学エンジン３２およびスクリーンパネル３３を備えて表示部１３を構成した例について上記したが、表示部として、ＣＲＴ、液晶表示パネルおよびプラズマディスプレイ等を採用することもできる。
【図面の簡単な説明】
【００５８】
【図１】テレビ１の構成を示すブロック図である。
【図２】テレビ１の正面図である。
【図３】設定画面Ｐ１の表示画面図である。
【図４】保存処理６０のフローチャートである。
【図５】動作条件データ選択画面Ｐ２の表示画面図である。
【図６】パラメータ選択画面Ｐ３の表示画面図である。
【図７】メディア選択画面Ｐ４の表示画面図である。
【図８】読出処理７０のフローチャートである。
【符号の説明】
【００５９】
１  テレビ、４ａ  メモリカード、４ｂ  ハードディスクドライブ、４ｃ  ＣＤ−Ｒ／ＲＷドライブ、１３  表示部、１４  音声出力部、１６  内部記憶部、１７  データ入出力部、１８  主制御部、Ｄｃ，Ｄｃ１，Ｄｃ２  動作条件データ、Ｖ  設定値
【図１】
2006303557.tif 000003
【図２】
2006303557.tif 000004
【図３】
2006303557.tif 000005
【図４】
2006303557.tif 000006
【図５】
2006303557.tif 000007
【図６】
2006303557.tif 000008
【図７】
2006303557.tif 000009
【図８】
2006303557.tif 000010